(57)【特許請求の範囲】
【請求項１】
中空部内に緯糸が引き通される緯糸導糸管と、該緯糸導糸管の緯糸導入部側外周に形成した雄ねじ部と、該雄ねじ部に螺合する雌ねじ部を形成して前記緯糸導糸管を固定する中空状のノズルボデーとを有し、前記緯糸導糸管とノズルボデーとの間の間隙に供給される圧力流体によりノズルボデー先端部より緯糸を射出して緯入れするようにした緯入れノズルを備えるジェットルームにおいて、前記緯糸導糸管を前記ノズルボデーより離脱させた状態で、前記雌ねじ部に螺合するホルダと、該ホルダ内でノズルボデー先端部に向けてレーザ照射を行うレーザ発光部及び該レーザ発光部に対し電源側の端子より電気導通させる接続端子を備えたことを特徴とする流体噴射式織機のノズル方向確認装置。
【請求項２】
ホルダ内の接続端子は、電源側の端子の進退動作により接合，離脱可能となっており、更に前記電源側の端子を接合した状態で付勢保持する付勢手段が設けられていることを特徴とする請求項１に記載の緯入れノズル方向確認装置。
【発明の詳細な説明】
【０００１】
【発明の属する技術分野】
本発明は、流体噴射式織機の緯入れノズル方向を確認する装置に関し、詳しくは、緯入れノズルの緯糸導入部側から先端部に向けてレーザ光を照射し、反緯入れ側に設けた標的に照射されるときの位置を確認することにより緯入れノズル方向を精度良く調整出来るようにした装置に関する。
【０００２】
【従来の技術】
この種の技術として、例えば特開昭５７−８９６４４号公報に開示されているように、緯入れノズルの緯糸導入部より若干離れた上流側位置にレンズを設け、更にレンズの上流側に発光素子を設け、発光素子からの光をレンズを介して緯入れノズル内に向けて照射することにより、反緯入れ側に設けたスクリーン上への焦点位置を確認することにより、緯入れノズル方向を確認するようにした装置が知られている。また、実開昭６１−２０６６８２号公報に開示されているように、緯入れノズル本体の外周面に嵌合するホルダを設け、このホルダにレーザ光を照射する光ファイバを取り付けるようにし、この光ファイバからのレーザ光を緯入れノズルの緯糸導糸管内に照射するようにしたものも知られている。
【０００３】
【発明が解決しようとする課題】
前記従来技術にあっては、緯入れノズルの上流側の離れた位置にレンズを設け、更に上流側に発光素子を設けたものにあっては、反緯入れ側に設けた標的に焦点距離を合わせるため、レンズの位置関係を微妙に調整する必要があり、更に緯入れノズル内の緯糸導糸管は小径で長尺であるため、緯糸導糸管内の軸心と平行に光を照射し、反緯入れ側の標的に照射するには、前記レンズの焦点方向を微妙に調整する必要があるばかりか、光量を極めて大きなものにしなければ反緯入れ側の標的には照射できず、実用化には難があった。
【０００４】
また、緯入れノズル本体の外周面に嵌合するホルダを設け、このホルダにレーザ光を照射する光ファイバを設けたものにあっては、確かにレーザ光により反緯入れ側までの標的に面積が小さく且つ高輝度の高い光を照射できるものの、レーザ光は極めて指向性が高いことから、レーザ光の照射方向が高精度に加工された小径で長尺な緯糸導糸管の軸線とが正確に一致していなければ、標的へ正確な照射が行えない。ところが、緯入れノズル本体の外周面は緯入れ性能には何ら関与しないので、加工精度が高いとは言えず、そのためレーザ光と緯入れノズルとの相対的位置が正確ではないことから、レーザ光と緯糸導糸管の軸線を迅速に一致させることができず、緯入れノズルの方向確認が迅速且つ正確に行えないという問題があった。
本発明はレーザ光により緯入れノズル方向を確認する際、迅速且つ容易に装置を設置し、高精度に緯入れノズルの方向を確認することができる装置を提供することを目的とする。
【０００５】
【課題を解決するための手段】
このため本発明は、中空部内に緯糸が引き通される緯糸導糸管と、該緯糸導糸管の緯糸導入部側外周に形成した雄ねじ部と、該雄ねじ部に螺合する雌ねじ部を形成して前記緯糸導糸管を固定する中空状のノズルボデーとを有し、前記緯糸導糸管とノズルボデーとの間の間隙に供給される圧力流体によりノズルボデー先端部より緯糸を射出して緯入れするようにした緯入れノズルを備えるジェットルームにおいて、前記緯糸導糸管を前記ノズルボデーより離脱させた状態で、前記雌ねじ部に螺合するホルダと、該ホルダ内でノズルボデー先端部に向けてレーザ照射を行うレーザ発光部及び該レーザ発光部に対し電源側の端子より電気導通させる接続端子を備えたことを特徴とする。
【０００６】
【発明の実施の形態】
発明の実施の形態を実施例にもとづき図面を参照して説明する。まず、図１は装置全体を説明する平面説明図。図２は図1の正面説明図。図３は標的の設置状態を示す斜視図。図４は図１の要部を示す断面説明図。図５は標的を示す正面説明図。図６は緯入れノズルを示す断面説明図である。
【０００７】
この実施例では緯入れを行う圧力流体として水を用いたウオータジェットルームに適用した場合について説明する。まず、図１を参照し、１は緯入れノズルで、通常運転時には図外のポンプから圧送された緯入れ水が緯入れ水供給管５に供給され、更に緯入れノズル１内に流入して、緯糸とともに経糸Ｙ列内に射出されるのであるが、この実施例では緯入れノズル１の方向確認を行うため、後述する緯糸導糸管を離脱してある。緯入れノズル１はブラケット６、７に取り付けられるが、ブラケット６，７にそれぞれ形成した凹部６ａ，７ａ間にはボール８が介在され、図示する上下の調整ボルト２０，２１及び図２に示す左右の調整ボルト２２，２３により固定される。また、これら調整ボルト２０，２１，２２，２３は締め付け力を調整することにより緯入れノズル１を左右方向と上下方向に微調整できるようになっているのであるが、公知の技術でもあるので、詳細説明は省略する。なお、ブラケット７は取り付けボルト２４にてベース３４に固定され、更にベース３４は織機フレーム３３にボルト２５，２５にて固定されている。
なお、図２に示す３０はリードホルダ３１にボルト３２にて固定されたリードである。
【０００８】
図１に示す緯入れノズル１は、通常運転では図６に示す緯糸導糸管５０が装着されているのであるが、ここでは緯入れノズル１の方向を確認するため、レーザ発光部１１を内蔵した中空状のホルダ１０を装着してある。また、電源１９からの配線１３ｂの先端部には端子１３が設けてあり、この電源側端子１３はホルダ１０の接続端子１２に対して進退方向に接続，離脱ができよう、両端子１２，１３はプラグ式となっている。ホルダ１０内では、前記接続端子１２からの電流によりレーザを発光するようになっているが、レーザの発光は消費電力が比較的高いことから、ホルダ１０内に電池を設けるのではなく、リチウム電池、あるいはニッケルカドミウム電池等で大容量で充電可能な電池を電源１９として使用している。
【０００９】
次に、緯入れノズル１の詳細を説明するが、まず通常運転時の状態について図６を参照して説明する。緯糸導糸管５０は略中空円筒状のノズルボデー２内に装着され、図外の緯糸が緯糸導糸管５０内の中空部５０ａ内に導入孔５１より挿通され、射出孔２ｃに引き通されている。また、緯糸導糸管５０は、導入孔５１側にある外周に雄ねじ部５２が形成され、ノズルボデー２内に形成した雌ねじ部３に螺合している。また、ノズルボデー２はブラケット６に取り付けられ、ホルダ６ｂで固定されている。
【００１０】
ここで、緯入れ水供給管５からの緯入れ水がブラケット６内に設けた経路５ａを経由してノズルボデー２の中間部に形成した略円周方向溝形状の経路５５に流入する。そして、緯入れ水はノズルボデー２の軸心に対し、放線方向に９０度間隔で形成された流入孔５５ａを経由して緯糸導糸管５０の先端部５０ｃ外周よりフィン５３を経由し、中空部２ａ内に流出する。なお、フィン５３は緯糸導糸管５０の軸線と平行な面内で放射状に伸びる板状部材を複数枚形成してある。中空部２ａ内に流出した緯入れ水は、緯糸導糸管５０内に引き通された緯糸とともに射出孔２ｃより射出される。なお、図中の２ｄ，２ｅ，２ｆ，５０ｂはそれぞれ水の漏出を阻止するＯリングである。また、ノズルボデー２の射出孔２ｂは、セラミック製のリング２ｂで、射出孔２ｃの耐摩性を向上させてある。
【００１１】
次に、この緯入れノズル１の方向確認する装置を図４にて説明するが、緯入れノズル１自体は図６に示すものと同じであるので、同一部材には同一符号を付与して説明を省略する。
まず、緯入れノズル１の方向確認する際には、図６に示す緯入れノズル１から緯糸導糸管５０を回転させ、ノズルボデー３の雌ねじ部３と緯糸導糸管５０の雄ねじ部５２の螺合状態を解除することで、緯糸導糸管５０を離脱させ、更にフィン５３も離脱させる。そして、図４に示すように、緯糸導糸管５０の雄ねじ部５２に螺合していたノズルボデー２の雌ねじ部３に、ホルダ１０先端部に設けた雄ねじ４をねじ込んで螺合させる。ここで、雄ねじ部４は緯糸導糸管５０の雄ねじ部５２と同径で同ピッチであることは言うまでもないが、ねじ山数は導糸管５０の雄ねじ部５２と同等か、それよりも少なくしてホルダ１０の装着を容易にしてもよい。
【００１２】
ホルダ１０は中空となった略円筒状で、その中空部内にはレーザ発光部１１を内蔵したホルダ１１ａが設けてある。また、ホルダ１０の先端部（ノズルボデー２）側と中間部にそれぞれホルダ１０に対し放線方向に軸心に対して９０度間隔で４個づつねじ孔が形成され、このねじ孔に芋ねじ１７，１８が螺合してあり、これら芋ねじにより前記ホルダ１１ａが支持されている。また、この芋ねじ１７，１８のねじ込み量により、レーザ発光部１１の投射方向を微調整可能にしてある。ホルダ１０の後端部には略円筒状の蓋体１０ｂが嵌合してあり、この蓋体１０ｂには、電源１９側の配線１３ｂの先端部に設けた凸状の端子１３に形成した中空部内の端子１３ａに接続される棒状のプラス側の接続端子１２ａが設けてあり、また凸状の端子１３の外周面側の端子１３ｃに接続されるマイナス側の接続端子１４が設けてある。なお、中空部内の端子１３ａと外周面側の端子１３ｃの間は絶縁材１３ｅが介在されている。また、接続端子１４は板ばねで構成され、電源１９側の端子１３を固定保持するようにしてある。これにより、ホルダ１０の雄ねじ部４をノズルボデー２の雌ねじ部３に螺合する際、電気配線が捻れて断線するのを防止するため、電源１９側の端子１３を進退動作させてホルダ１０の接続端子１２に対し接続と離脱を行う、いわゆるプラグ方式としている。なお、この例では、電源１９側の端子１３とホルダ１０の接続端子１２との接続によりそのまま電気導通されてレーザ発光部１１が発光するようにしているが、配線１３ｂにスイッチを設け、スイッチ操作により発光させるようにしてもよい。
【００１３】
以上の構成により、緯入れノズル１の方向確認を行うのであるが、予め芋ねじ１７、１８のねじ込み量を調整して、レーザ発光部１１から投射されるレーザ光がホルダ１０の軸心Ｌと一致するように調整する。そして、図３に示すように、反緯入れ側の経糸Ｙ間に挿入した標的６０に照射することで、方向確認を行うことになる。そして、図１及び図２に示す調整ボルト２０〜２３を調整して、緯入れノズル１の方向調整を行う。なお、図３に示す４４は緯糸フィーラ、４０は糸端処理糸。４１は仮撚スピンドル、４２は仮撚スピンドル４１のカバー、４３はプレートである。また、図中４６はテンプル４６で、４５はテンプルカバー、４７はこれらの取り付けブラケットである。
【００１４】
ここで、標的６０は反緯入れ側の経糸Ｙ間に挿入される板材で、図５に示すように位置決め部６０ｄを形成してある。この位置決め部６０ｄはフェルプレート６１上の織前Ｗ部位の織布Ｓ上に載置することで標的６０の位置決めを行うようにしてある。なお、標的６０には、経糸Ｙ間に保持させるため、経糸間の寸法よりも厚くなっている。また、標的６０は図５で示すように同心で半径を４〜５mmづつ拡大させた円６０ａ，６０ｂ，６０ｃがプリントされており、これら円を見てレーザ光が中央部の最も小さい円６０ａ照射されるように緯入れノズル１の方向を調整する。また標的６０は、ウオータジェットルームの場合には、樹脂等の撥水性部材を用いるのが好ましい。また、標的６０には、梨字状にしたり、半透明にする等、レーザ光が標的６０に照射された際の反射光量を小さくし、眩しさを低減させるようにするとよい。
なお、この実施例では緯入れを行う圧力流体として水を用いたウオータジェットルームに適用した場合について説明するが、エアージェットルームでも同様に適用できることは言うまでもない。
【００１５】
【発明の効果】
以上説明してきたように、本発明においては、緯糸導糸管をノズルボデーより離脱させた状態で、ノズルボデーの雌ねじ部に螺合するホルダと、このホルダ内でノズルボデー先端部に向けてレーザ照射を行うレーザ発光部及び該レーザ発光部に対し電源側の端子より電気導通させる接続端子を備えたので、ホルダを緯糸導糸管に代えてノズルボデーの雌ねじ部に螺合させるという迅速且つ容易な操作により、ホルダはあたかも緯糸導糸管が螺合されたかのうように、導糸管と同心上に緯入れノズルに固定でき、緯糸導糸管の螺合部は精度良く形成されていることから、緯糸導糸管の軸芯と同一位置から同一方向にレーザ光を照射でき、精度よく緯入れノズル方向を確認することができる。また、接続端子により電気導通を行うようにしたので、ホルダを緯入れノズルのノズルボデーに螺合する際、電気配線が捻れて断線する等の恐れもない。
【００１６】
【図面の簡単な説明】
【図１】    装置全体を説明する平面説明図。
【図２】    図１の正面説明図
【図３】    図１の標的の設置状態を示す斜視図。
【図４】    図１の要部を示す断面図
【図５】    標的を示す正面説明図
【図６】    緯入れノズルを示す断面説明図
【符号の説明】
１    緯入れノズル
２    ノズルボデー
３    雌ねじ部
４    雄ねじ部
１０  ホルダ
１１  レーザ発光部
１２  接続端子
１３  電源側端子
１４  接続端子（板ばね）
【図１】
0003855505.tif 000002
【図２】
0003855505.tif 000003
【図３】
0003855505.tif 000004
【図４】
0003855505.tif 000005
【図５】
0003855505.tif 000006
【図６】
0003855505.tif 000007